(57)【特許請求の範囲】
【請求項１】
ホッパーから受け入れた生ごみを次工程に供給する生ごみ処理設備における生ごみ供給装置であって、上記ホッパーにビニール袋を破袋する破袋装置を備えた生ごみ処理設備における生ごみ供給装置において、
上記ビニール袋を破袋された生ごみが供給されるハウジング内に互いに反対方向に回転する一対の破砕刃を備えた二軸式破砕装置を設け、該二軸式破砕装置の各破砕刃は、シャフトの周面の軸方向に一定間隔で複数の刃を設けて構成され、かつ一対の破砕刃は、互いに接近する方向に回転して生ごみを破砕するとともに、上記二軸式破砕装置の前段に、上記二軸式破砕装置の一対の破砕刃に生ごみを押し付ける１軸のスクリューコンベヤを縦置き式に内蔵した押込機を設けたことを特徴とする生ごみ処理設備における生ごみ供給装置。
【請求項２】
ホッパーから受け入れた生ごみを次工程に供給する生ごみ処理設備における生ごみ供給装置であって、上記ホッパーにビニール袋を破袋する破袋装置を備えた生ごみ処理設備における生ごみ供給装置において、 
上記破袋装置を、前記ホッパー内に互いに平行に配設され、かつ互いに逆方向に回転駆動される２本のシャフトの周面にそれぞれ複数の破袋爪を設けて構成し、一方のシャフトに設けられた一対の破袋爪の間に他方のシャフトに設けられた１つの破袋爪が噛み合うようにしてビニール袋を破袋するように構成し、
上記ビニール袋を破袋された生ごみが供給されるハウジング内に互いに反対方向に回転する一対の破砕刃を備えた二軸式破砕装置を設け、該二軸式破砕装置の各破砕刃は、シャフトの周面の軸方向に一定間隔で複数の刃を設けて構成され、かつ一対の破砕刃は、互いに接近する方向に回転して生ごみを破砕するとともに、上記二軸式破砕装置の前段に、上記一対の破砕刃に生ごみを押し付ける１軸のスクリューコンベヤを縦置き式に内蔵した押込機を設けたことを特徴とする生ごみ処理設備における生ごみ供給装置。
【発明の詳細な説明】
【０００１】
【発明の属する技術分野】
本発明は、ホッパーより受け入れた生ごみを破砕して次工程に供給する生ごみ処理設備における生ごみ供給装置に関する。
【０００２】
【従来の技術】
コンポスト装置等に生ごみを投入するための設備としてホッパーが用いられており、このホッパーより受け入れた生ごみを破砕して切り出すための装置として、２軸のスクリューコンベヤが用いられていた。
この２軸のスクリューコンベヤは、ハウジング内に互いに平行状態に２本のスクリューコンベヤを配置し、２本のスクリューコンベヤが互いの回転によって生ごみを破砕しながら出口側に圧送するものである。
【０００３】
【発明が解決しようとする課題】
ところが、２軸のスクリューコンベヤに、繊維質等の多い生ごみやビニール袋入りの生ごみを投入すると、生ごみが圧縮されて過負荷状態となり、スクリューコンベヤがトリップして切り出し出来ない状態になる恐れがあった。また、水分や油が多い生ごみの中に、大根、キャベツ等の丸い形状をした生ごみが混入して送られることがあるが、これらの生ごみが最終段の二軸破砕機に落下すると、二軸破砕機の破砕軸上で、丸い形状をした生ごみが滑ることによって破砕歯に噛み込まれず、その場で回転を繰り返すことになる。その結果、破砕されずに残っていた生ごみが、その位置にとどまって破砕歯の閉塞を起こし、生ごみの処理が充分にできないという問題があった。
【０００４】
本発明は、上記課題を解決し、繊維質の多い生ごみでも効率良く切り出せるとともに、丸い形状をした生ごみでも確実に破砕することができる生ごみ処理設備における生ごみ供給装置を提供することを目的とする。
【０００５】
【課題を解決するための手段】
本発明は、上記課題を解決するため、ホッパーから受け入れた生ごみを次工程に供給する生ごみ処理設備における生ごみ供給装置であって、上記ホッパーにビニール袋を破袋する破袋装置を備えた生ごみ処理設備における生ごみ供給装置において、上記ビニール袋を破袋された生ごみが供給されるハウジング内に互いに反対方向に回転する一対の破砕刃を備えた二軸式破砕装置を設け、該二軸式破砕装置の各破砕刃は、シャフトの周面の軸方向に一定間隔で複数の刃を設けて構成され、かつ一対の破砕刃は、互いに接近する方向に回転して生ごみを破砕するとともに、上記二軸式破砕装置の前段に、上記二軸式破砕装置の一対の破砕刃に生ごみを押し付ける１軸のスクリューコンベヤを縦置き式に内蔵した押込機を設けたことにある。
また、本発明は、ホッパーから受け入れた生ごみを次工程に供給する生ごみ処理設備における生ごみ供給装置であって、上記ホッパーにビニール袋を破袋する破袋装置を備えた生ごみ処理設備における生ごみ供給装置において、上記破袋装置を、前記ホッパー内に互いに平行に配設され、かつ互いに逆方向に回転駆動される２本のシャフトの周面にそれぞれ複数の破袋爪を設けて構成し、一方のシャフトに設けられた一対の破袋爪の間に他方のシャフトに設けられた１つの破袋爪が噛み合うようにしてビニール袋を破袋するように構成し、上記ビニール袋を破袋された生ごみが供給されるハウジング内に互いに反対方向に回転する一対の破砕刃を備えた二軸式破砕装置を設け、該二軸式破砕装置の各破砕刃は、シャフトの周面の軸方向に一定間隔で複数の刃を設けて構成され、かつ一対の破砕刃は、互いに接近する方向に回転して生ごみを破砕するとともに、上記二軸式破砕装置の前段に、上記一対の破砕刃に生ごみを押し付ける１軸のスクリューコンベヤを縦置き式に内蔵した押込機を設けたことにある。
【０００６】
【発明の実施の形態】
以下、図示の実施の形態を図面を参照しながら詳細に説明する。
図１は、生ごみ処理設備の概略を示したもので、図２は生ごみを受け入れる受け入れ装置としてのホッパーを示したものである。図３は、このホッパーから投入された生ごみを切り出して、次工程に供給する生ごみ供給装置を構成する生ごみ切り出し装置を示したものである。図４は生ごみ切り出し装置から送り込まれる生ごみを搬送して破砕機に押し込む搬送用コンベヤと押込機を示したものである。
【０００７】
図１において、生ごみ処理設備は、生ごみを受け入れる受け入れ装置としてのホッパー１と、このホッパー１から投入される生ごみを切り出して、次工程に供給する生ごみ供給装置２を備えている。ホッパー１は内部に破袋装置３を設けたもので、この破袋装置３は、生ごみを入れたビニール袋を破り、ビニール袋から生ごみを取り出すものである。生ごみ供給装置２は、切り出し装置４と、搬送用コンベヤ５と、押込機６とで構成され、二軸式破砕装置７に連結されている。二軸式破砕装置７には、生ごみ移送コンベヤ８が連結され、破砕された生ごみを移送するものである。
【０００８】
破袋装置３は、図２および図５（ａ）（ｂ）（ｃ）に示すように互いに平行に配設した２本のシャフト３０，３１の周面にそれぞれ複数の破袋爪３２，３３を設けたもので、減速器付モータなどの駆動源３４によって回転駆動されるものである。上記２本のシャフト３０，３１は、それぞれ図示しない軸受けを介して上記ホッパー１の内壁面に回転自在に支持されており、これらシャフト３０，３１は、図示矢印のように互いに逆方向に回転駆動されて、互いの破袋爪３２，３３によってビニール袋を切り裂くものである。破袋爪３２，３３は回転方向に大きく湾曲して形成されており、一方のシャフト３０に設けられた一対の破袋爪３２の間に他方のシャフト３１に設けられた１つの破袋爪３３が噛み合うようにしてビニール袋を破袋するものである。シャフト３０，３１には、それぞれ一対の破袋爪３２（３３）と一つの破袋爪３３（３２）が噛み合うようにして複数の破袋爪３２、３３が円周方向の一定間隔で、かつ軸方向に所定間隔で設けられている。
【０００９】
上記生ごみ供給装置２は、図３および図４に示すように、上記ホッパー１の排出口の下部側に横置き式に配置された切り出し装置４と、この切り出し装置４の排出口の下部側に横置き式に連結された搬送用コンベヤ５と、この搬送用コンベヤ５の排出口に縦置き式に連結された押込機６とで構成されている。切り出し装置４と搬送用コンベヤ５は、それぞれ第１のスクリューコンベヤを構成し、押込機６は、第２のスクリューコンベヤを構成する。
【００１０】
切り出し装置４は、図３に示すように、蓋４０ａを有する断面Ｕ字状のハウジング４０内に、１軸のスクリューコンベヤ４１を内蔵したものである。このスクリューコンベヤ４１は、シャフト４２の周囲に螺旋状にスクリュー羽根４３を配設したもので、スクリューコンベヤ４１は、シャフト４２の両端をハウジング４０の壁面に、図示しない軸受けを介して回転自在に支持されている。このスクリューコンベヤ４１は、シャフト４２の一端部がハウジング４０を貫通して設けられ、このシャフト４２の突出端部に、スプロケットおよびチェーンを介して回転動力が伝達されている。
このスクリューコンベヤ４１は、減速器付モータなどの駆動源４４によって正逆回転駆動されるものである。
【００１１】
上記切り出し装置４は、ハウジング４０の蓋４０ａに設けられた開口穴（図示せず）から生ごみが供給されるもので、この生ごみをスクリューコンベヤ４１によって移送するものである。
上記スクリューコンベヤ４１の正転方向出口側には、ハウジング４０に次工程への排出口４５が設けられ、スクリューコンベヤ４１の逆転方向端部側には、ハウジング４０に不適物類の排出口４６が設けられている。
上記排出口４５の直下には、搬送用コンベヤ５が、連結されている。
【００１２】
上記搬送用コンベヤ５は、図４に示すように、上記切り出し装置４の排出口４５から切り出された生ごみが供給されるもので、ハウジング５０に内装された１軸のスクリューコンベヤ５１によって生ごみを移送するものである。このスクリューコンベヤ５１は、シャフト５２の周囲に螺旋状にスクリュー羽根５３を配設したもので、スクリューコンベヤ５１は、シャフト５２の両端をハウジング５０の壁面に、図示しない軸受けを介して回転自在に支持されている。このスクリューコンベヤ５１は、シャフト５２の一端部がハウジング５０を貫通して設けられ、このシャフト５２の突出端部に、スプロケットおよびチェーンを介して回転動力が伝達されている。
このスクリューコンベヤ５１は、減速器付モータなどの駆動源５４によって正逆回転駆動されるものである。
【００１３】
上記スクリューコンベヤ５１の正転方向出口側には、ハウジング５０に次工程への排出口５５が設けられ、スクリューコンベヤ５１の逆転方向端部側には、ハウジング５０に不適物類の排出口５６が設けられている。
【００１４】
上記押込機６は、図４に示すように、筒状のハウジング６０内に、１軸のスクリューコンベヤ６１を縦置き式に内蔵したものである。このスクリューコンベヤ６１は、シャフト６２の周囲に螺旋状のスクリュー羽根６３を配設したもので、スクリューコンベヤ６１は、シャフト６２の一端部をハウジング６０の壁面に、図示しない軸受けを介して回転自在に支持されている。このスクリューコンベヤ６１は、シャフト６２の一端部がハウジング６０を貫通して設けられ、このシャフト６２の突出端部に、スプロケットおよびチェーンを介して回転動力が伝達されている。
このスクリューコンベヤ６１は、減速器付モータなどの駆動源６４によって正逆回転駆動されるものである。
【００１５】
上記押込機６の下端部には、二軸式破砕装置７が連結されている。この二軸式破砕装置７は、図６（ａ）（ｂ）に示すように、ハウジング７０内に、互いに反対方向に回転する一対の破砕刃７１，７２を備えたものである。一対の破砕刃７１，７２は、減速器付モータなどの駆動源７３によって、上方から見て互いに破砕刃７１，７２が接近する方向に回転駆動されるものである。この破砕刃７１，７２は、図示しないシャフトの周面の軸方向に、それぞれ一定間隔で複数の刃７１ａ，７１ｂを設けたもので、互いの刃７１ａ，７１ｂが交互に一部がすれ違うように配列されている。
この二軸式破砕装置７は、上記押込機６によって押し付けられる生ごみを一対の破砕刃７１，７２によって破砕するものである。特に、水あるいは油の付着したキャベツ等の丸い生ごみを押込機６によって一対の破砕刃７１，７２に押し付けることで、破砕するものである。
【００１６】
この二軸式破砕装置７の排出口７４には、図１に示すように、生ごみ移送コンベヤ８が連結され、破砕された生ごみを移送するものである。生ごみ移送コンベヤ８は、ハウジング８０内に、図示しない駆動機構によって駆動されるチェーンコンベヤ、ベルトコンベヤ等の搬送手段８１が内装されており、破砕された生ごみを次の供給先に搬送するものである。
【００１７】
なお、生ごみ移送コンベヤ８には、ドレン水槽９に連結されたドレンパイプ１０が連結されており、ハウジング８０に溜まった水をドレン水槽９に集めるようにしている。このドレン水槽９に溜まった水は、ポンプ１１を介してパイプ１２により、供給先に送るようにしている。
【００１８】
上記生ごみ処理設備の動作を説明する。
例えば、ビニール袋入りの生ごみをホッパー１に投入すると、ビニール袋は、破袋装置３の破袋爪３２，３３の回転によって、破袋される。こうして、ビニール袋から飛び出した生ごみが切り出し装置４のハウジング４０内に落下する。ハウジング４０内に落下した生ごみは、切り出し装置４のスクリューコンベヤ４１の回転によって、正転方向出口側に送り出される。
このとき、破袋装置３の破袋爪３２，３３あるいは、切り出し装置４のスクリューコンベヤ４１にビニール袋が引っかかった場合には、破袋装置３の破袋爪３２，３３を逆回転駆動して取り出す。また、切り出し装置４のスクリューコンベヤ４１を逆回転駆動させて取り出す。切り出し装置４のスクリューコンベヤ４１を逆回転駆動させると、ハウジング４０の正転方向出口側と逆方向に送られて排出口４６の方へ送られる。こうしてハウジング４０に設けられている不適物類の排出口４６から取り出さすことができる。
【００１９】
こうして、ハウジング４０内の生ごみは、切り出し装置４のスクリューコンベヤ４１の回転によって、破砕されながら正転方向出口側に送り出されて、搬送用コンベヤ５に供給される。搬送用コンベヤ５では、スクリューコンベヤ５１によって、次の工程に送り込む。
【００２０】
上記スクリューコンベヤ５１の正転方向出口側には、ハウジング５０に次工程への排出口５５が設けられ、この排出口５５から、押込機６のハウジング６０内に生ごみを送り込む。
ビニール袋等がスクリューコンベヤ５１に絡みついている場合には、スクリューコンベヤ５１を逆転駆動して、ハウジング５０の排出口５６から取り出す。
【００２１】
押込機６に送り込まれた生ごみは、１軸のスクリューコンベヤ６１の回転によって破砕されながら、圧送され、順次、二軸破砕装置７に送り込まれる。このとき、丸いキャベツ類等の生ごみも、押込機６の１軸のスクリューコンベヤ６１によって二軸破砕装置７の一対の破砕刃７１，７２に押し付けることで、確実に破砕される。
【００２２】
二軸破砕装置７によって完全に破砕された、生ごみは生ごみ移送コンベヤ８によって次の工程に移送される。
【００２３】
このように、上記実施の形態によれば、繊維質の多い生ごみ、あるいはビニール袋に入れた生ごみ等は、１軸のスクリューコンベヤ４１，５１，６１を備えた切り出し装置４、搬送用コンベヤ５、押込機６によって順次、確実に切り出されるので、従来、２軸式のスクリューコンベヤで生じていた繊維質等の生ゴミが圧縮されて過負荷状態となる不具合を除去することができる。
【００２４】
また、切り出し装置４、搬送用コンベヤ５には、不適物類の排出口４６，５６を設けているので、ビニール袋等が詰まった場合にも、スクリューコンベヤ４１，５１を逆転駆動することにより、簡単に取り出すことができる。
さらに、ホッパー１には、破袋装置３を設けているので、ビニール袋等を破袋して内部の生ごみのみを切り出し装置４側に供給することができる。
【００２５】
二軸破砕装置７の前段には、１軸のスクリューコンベヤ６１を備えた縦置き式の押込機６を配置したので、水あるいは油が付着した丸いキャベツ類等が破砕されずに送られてきた場合にも、１軸のスクリューコンベヤ６１によって二軸破砕装置７の破砕刃７１，７２に押し付けるので、滑ることなく確実に破砕することができる。
【００２６】
また、生ごみに含まれた水分は、生ごみ移送コンベヤ８で送られる際にハウジング８０内に落下し、ハウジング８０内に溜まった水分は、ドレンパイプ１０を通してドレン水槽９に溜めることができるので、生ごみに含まれた水分を除去することができる。
【００２７】
なお、本発明は、上記実施の形態のみに限定されるものではなく、例えば、上記実施の形態で使用したホッパーは、コンポスト装置に生ごみを投入する際に使用する他、メタン発酵装置に投入する際等にも使用することができる。また、上記実施の形態では、切り出し装置４と搬送用コンベヤ５によって、第１のスクリューコンベヤを構成し、押込機６によって、第２のスクリューコンベヤを構成したが、切り出し装置４を直に、押込機６に直結することもできる。その他、本発明の要旨を変更しない範囲内で適宜変更して実施し得ることは言うまでもない。
【００２８】
【発明の効果】
以上述べたように、本発明の生ごみ処理設備における生ごみ供給装置によれば以下のような効果を奏する。
【００２９】
ホッパーから受け入れた生ごみを次工程に供給する生ごみ処理設備における生ごみ供給装置であって、上記ホッパーにビニール袋を破袋する破袋装置を備えた生ごみ処理設備における生ごみ供給装置において、上記ビニール袋を破袋された生ごみが供給されるハウジング内に互いに反対方向に回転する一対の破砕刃を備えた二軸式破砕装置を設け、該二軸式破砕装置の各破砕刃は、シャフトの周面の軸方向に一定間隔で複数の刃を設けて構成され、かつ一対の破砕刃は、互いに接近する方向に回転して生ごみを破砕するとともに、上記二軸式破砕装置の前段に、上記二軸式破砕装置の一対の破砕刃に生ごみを押し付ける１軸のスクリューコンベヤを縦置き式に内蔵した押込機を設けたので、ビニール袋を破袋することができることからスクリューコンベヤが詰まる不具合を除去することができる。
【００３０】
ホッパーから受け入れた生ごみを次工程に供給する生ごみ処理設備における生ごみ供給装置であって、上記ホッパーにビニール袋を破袋する破袋装置を備えた生ごみ処理設備における生ごみ供給装置において、上記破袋装置を、前記ホッパー内に互いに平行に配設され、かつ互いに逆方向に回転駆動される２本のシャフトの周面にそれぞれ複数の破袋爪を設けて構成し、一方のシャフトに設けられた一対の破袋爪の間に他方のシャフトに設けられた１つの破袋爪が噛み合うようにしてビニール袋を破袋するように構成し、上記ビニール袋を破袋された生ごみが供給されるハウジング内に互いに反対方向に回転する一対の破砕刃を備えた二軸式破砕装置を設け、該二軸式破砕装置の各破砕刃は、シャフトの周面の軸方向に一定間隔で複数の刃を設けて構成され、かつ一対の破砕刃は、互いに接近する方向に回転して生ごみを破砕するとともに、上記二軸式破砕装置の前段に、上記一対の破砕刃に生ごみを押し付ける１軸のスクリューコンベヤを縦置き式に内蔵した押込機を設けたので、丸い形状をした大根、キャベツ等の生ごみを破袋装置の破砕刃に押し付けて確実に破砕することができる。
上記ホッパーにビニール袋を破袋する破袋装置を備え、該破袋装置を正逆回転可能に構成したので、ビニール袋等の不適物類をホッパー内で除去することができる。
さらに、スクリューコンベヤを使用することによって、切り出す際に生ごみの一部を破砕する相乗効果も期待できる。また、ビニール袋等の不適物類をホッパー内、あるいはスクリューコンベヤの不適物類の排出口から確実に除去することができる。
【図面の簡単な説明】
【図１】本発明の実施の形態による生ごみ処理設備における生ごみ供給装置を示す概念図である。
【図２】図１のホッパーを示す平面図である。
【図３】図１のホッパーと切り出し装置を一部を断面にして示す側面図である。
【図４】図１の搬送用コンベヤおよび押込機一部を断面にして示す側面図である。
【図５】破袋装置の破袋爪を示し、（ａ）は概念図、（ｂ）は斜視図、（ｃ）は（ａ）の側面図である。
【図６】二軸破砕装置を示し、（ａ）は平面図、（ｂ）は正面図である。
【符号の説明】
１    ホッパー
２    生ごみ供給装置
３    破袋装置
４    切り出し装置
５    搬送用コンベヤ
６    押込機
７    二軸式破砕装置
３２，３３    破袋爪
４０、５０、６０    ハウジング
４１、５１、６１    スクリューコンベヤ
４６、５６    排出口
７１、７２    破砕刃
【図１】
0004718028.tif 000002
【図２】
0004718028.tif 000003
【図３】
0004718028.tif 000004
【図４】
0004718028.tif 000005
【図５】
0004718028.tif 000006
【図６】
0004718028.tif 000007